(57)【要約】【課題】携帯通信端末１０の使用状況に関わらず、周囲の人間に迷惑行為に遭遇していることを報知することを可能とする迷惑行為撃退装置及びそれを用いた迷惑行為撃退システムを提供する。【解決手段】利用者は、スマートフォン等の主装置側近距離無線通信手段１４を有する携帯端通信末１０に警告音発生アプリをインストールし、警告音発生アプリと対となる警告音発生装置３０を装備する。迷惑行為に遭遇した際、携帯通信端末１０の警告音発生ボタンを押下する。警告音発生アプリはこれを受けて警告音声発生指示手段２３から主装置側近距離無線通信手段１４を介して警告音声発生装置３０に対して警告音声発生信号５０を出力する。警告音声発生装置３０は従装置側近距離無線通信手段２３によって警告音声発生信号を受信した際、警告音声記録手段３３から警告音を選択し、警告音声発生手段３４から警告音を再生出力する。【選択図】図１
2015072510.tif 000002
【特許請求の範囲】
【請求項１】
痴漢行為等の迷惑行為が発生した際に警告音声の発生を指示する信号を出力する主装置と、当該主装置からの警告音声発生指示信号を受信すると予め記録してある警告音声を発生する従装置とを備えた迷惑行為撃退装置であって、
前記主装置は携帯通信端末であり、主装置側制御手段と、携帯通信端末としての通信を行う無線通信手段と、近距離の無線通信を行う主装置側近距離無線通信手段と、迷惑行為処理手段とを備えており、
前記従装置は迷惑行為発生時に警告音声を発生する警告音声発生装置であり、従装置側制御手段と、近距離の無線通信を行う従装置側近距離無線通信手段と、予め警告音声を記録した警告音声記録手段と、前記主装置側近距離無線通信手段から出力された前記警告音声発生指示信号を受信すると警告音声を発生する警告音声発生手段とを備えており、
前記主装置としての前記迷惑行為処理手段は、前記従装置としての前記警告音声発生装置に対して予め警告音声を記録するための迷惑行為対応音声記録手段と、迷惑行為発生指示手段と、警告音声発生指示手段とを備えた
ことを特徴とした迷惑行為撃退装置。
【請求項２】
前記従装置としての前記警告音声発生装置の警告音声記録手段には、警告音声が複数記録されており、前記従装置側近距離無線通信手段が前記主装置からの前記警告音声発生指示信号を受信すると、選択された一つの警告音声を発生する
ことを特徴とした請求項１記載の迷惑行為撃退装置。
【請求項３】
前記主装置側制御手段は、最初の警告音声発生指示信号を出力すると時間を計測し、当該計測時間が所定の時間を経過すると、次の警告音声発生指示信号を出力し、前記従装置側近距離無線通信手段が前記主装置からの前記次の警告音声発生指示信号を受信すると、選択された別の警告音声を発生する
ことを特徴とした請求項２記載の迷惑行為撃退装置。
【請求項４】
痴漢行為等の迷惑行為が発生した際に迷惑行為撃退機能を発揮する迷惑行為撃退システムであって、
当該迷惑行為撃退システムは、主装置としての携帯通信端末と、当該携帯通信端末からの指示を近距離無線により受信可能な従装置としての警告音声発生装置から構成されており、
前記警告音声発生装置には、前記携帯通信端末により、予め迷惑行為撃退のための警告音声を複数記録させておき、前記携帯通信端末から警告音声発生信号が出力されると、
前記警告音声発生装置が前記警告音声発生信号を受信して、予め記録された迷惑行為撃退のための警告音声を選択して音声発生する
ことを特徴とする迷惑行為撃退システム。
【発明の詳細な説明】
【技術分野】
【０００１】
本発明は、痴漢行為等の迷惑行為の被害にあった際に、被害者が痴漢行為等の迷惑行為の被害にあっていることを周囲に報知することが可能な迷惑行為撃退装置及びその装置を用いた迷惑行為撃退システムに関する。
【背景技術】
【０００２】
従来、満員電車等で痴漢行為等の迷惑行為をする者が後を絶たず、不快な思いをする乗客が多数いる。しかし、羞恥心等から通報等を行わないケースもあり、公表されない被害も併せるとその件数は看過し難いものとなる。これを防止するために各交通機関においても種々の対策、例えば私服警官の配置や、女性専用車両の設置等を講じている。しかしながら、これらの対策を講じていても、車両スペースには限界があり、止むを得ず一般車両に乗ってしまった場合等に痴漢行為の被害に遭うなど、痴漢行為等の迷惑行為の根絶には至っていない。
【０００３】
また、痴漢行為等の迷惑行為の被害者は往々にしてその被害に遭っている最中、恐怖心から声を出して周囲に自身が迷惑行為に遭っていることを報知することができずにいることも分かっている。このような状況を鑑みて、多くの痴漢防止・撃退手段が知られている。
【０００４】
例えば、特許文献１（特開２０１０−１６５３２６号公報）には、痴漢に遭遇した時に、ネックレスとして使用している本発明品の胸のスイッチを押すことにより「痴漢」等の発音が背中側であり、痴漢者を驚かせる、又、スイッチを押し続けることで音声が繰り返され、さらにスイッチを強く押し込むことにより音量を大きくすることができ、痴漢者を撃退するようにした音声による痴漢撃退器を提供するようにしたネックレス型の音声による痴漢撃退器が開示されている。
【０００５】
また、特許文献２（特開２００２−００９８９７号公報）には、痴漢に対する警告音声データを内蔵し、ボタンによりこの警告音声を再生することを可能とした携帯電話が開示されている。
【０００６】
さらに、特許文献３（特開２００２−８３３７８号公報）には、イ．痴漢行為に対する『警戒の意思』、『拒絶の意思』、『告発の意思』を表す言葉を順次、テープレコーダーやＩＣレコーダーやディスクレコーダー等の音声再生装置の記憶装置に格納する。ロ．音声再生装置を痴漢防止ブザー、ペンダント、時計、腕輪等の身装具、縫いぐるみ等の玩具、鞄や鞄の把手、携帯電話等の携帯用小物に組み込む。ハ．音声再生装置をスイッチにより作動させ、『警戒の意思』、『拒絶の意思』、『告発の意思』を示す痴漢撃退の言葉を、順次発声させる痴漢行為撃退装置が開示されている。
【０００７】
特許文献４（特開２００６−２８７８９１号公報）には、折りたたみ式携帯電話本体の中央部位両サイドに設けたスイッチを押して防犯音、防犯声を鳴るように構成し、暗証番号により防犯音・声の機能の設定と解除が行えると共に、防犯音・声は１０種類設定し録音機能により好みの音・声を設定できる防犯・防漢・痴漢ストーカー、対処避難機能を発揮する緊急音声機能付携帯電話機が開示されている。
【０００８】
特許文献５（特開２００８−１１８４０３号公報）には、緊急時、例えば痴漢等に襲われたり悪戯されたりしたとき或いはしそうになった時に緊急であることを外部に知らせる（警報を発する）ことができる新規な携帯電話機を提供する装置が開示されている。緊急時に操作される緊急キーを少なくとも一つ備え、緊急時に上記緊急キーが操作されると、電源がオン時には直ぐに、電源がオフ時には電源キーの操作を伴うことなく電源をオン状態にした後、予め設定された緊急を告げる音声が音声発生手段（スピーカ）から発するようにする。更には、音声のみならず、画像（静止画、動画）によっても警報を発するようにしても良い。また、予め設定された電話番号の電話機にコールすることにより緊急を告げるようにしても良い。
【先行技術文献】
【特許文献】
【０００９】
【特許文献１】特開２０１０−１６５３２６号公報
【特許文献２】特開２００２−００９８９７号公報
【特許文献３】特開２００２−８３３７８号公報
【特許文献４】特開２００６−２８７８９１号公報
【特許文献５】特開２００８−１１８４０３号公報
【発明の概要】
【発明が解決しようとする課題】
【００１０】
しかしながら、特許文献１のような装飾品となると、利用者は自身の趣味嗜好にその形状や品質が合わない場合もあり、自分の気に入った装飾品との併用が嫌われて利用されなくなるケースがある。
【００１１】
更に、携帯電話機を用いた装置であっても、特に日本においては列車車両内における携帯電話の利用はマナーに反するとして外部に音声を発しない、所謂マナーモードが推奨されており、緊急時に音声を発し得ないことも考えられる。また、近年携帯電話においてはスマートフォンのシェアが拡大しており、このスマートフォンにイヤホンを接続して音楽を楽しみながら通勤通学をする利用者が増えていることから、特許文献２の構成では、警告音を発生させようとしてもマナーモード中やイヤホン利用中のため音声が外部に向けて出力されず、周囲に報知できない虞がある。
【００１２】
本発明は、上記課題に鑑みてなされたものであり、スマートフォンのような携帯通信端末を利用している際に痴漢行為に遭ったとしても、警告音を確実に周囲に発し、自身が痴漢行為等の迷惑行為に遭遇していることを報知することができる痴漢行為等の迷惑行為撃退装置及びそれを用いた迷惑行為撃退システムを提供することをその目的とする。
【課題を解決するための手段】
【００１３】
本発明の迷惑行為撃退装置は、痴漢行為等の迷惑行為が発生した際に警告音声の発生を指示する信号を出力する主装置と、当該主装置からの警告音声発生指示信号を受信すると予め記録してある警告音声を発生する従装置とを備えた迷惑行為撃退装置であって、
前記主装置は携帯通信端末であり、主装置側制御手段と、携帯通信端末としての通信を行う無線通信手段と、近距離の無線通信を行う主装置側近距離無線通信手段と、迷惑行為処理手段とを備えており、
前記従装置は迷惑行為発生時に警告音声を発生する警告音声発生装置であり、従装置側制御手段と、近距離の無線通信を行う従装置側近距離無線通信手段と、予め警告音声を記録した警告音声記録手段と、前記主装置側近距離無線通信手段から出力された前記警告音声発生指示信号を受信すると警告音声を発生する警告音声発生手段とを備えており、
前記主装置としての前記迷惑行為処理手段は、前記従装置としての前記警告音声発生装置に対して予め警告音声を記録するための迷惑行為対応音声記録手段と、迷惑行為発生指示手段と、警告音声発生指示手段とを備えたことを特徴とする。
【００１４】
さらに本発明の迷惑行為撃退装置は、前記従装置としての前記警告音声発生装置の警告音声記録手段には、警告音声が複数記録されており、前記従装置側近距離無線通信手段が前記主装置からの前記警告音声発生指示信号を受信すると、選択された一つの警告音声を発生することを特徴とする。
【００１５】
さらに本発明の迷惑行為撃退装置では、前記主装置側制御手段は、最初の警告音声発生指示信号を出力すると時間を計測し、当該計測時間が所定の時間を経過すると、次の警告音声発生指示信号を出力し、前記従装置側近距離無線通信手段が前記主装置からの前記次の警告音声発生指示信号を受信すると、選択された別の警告音声を発生することを特徴とする。
【００１６】
本発明の迷惑行為撃退システムは、痴漢行為等の迷惑行為が発生した際に迷惑行為撃退機能を発揮する迷惑行為撃退システムであって、
当該迷惑行為撃退システムは、主装置としての携帯通信端末と、当該携帯通信端末からの指示を近距離無線により受信可能な従装置としての警告音声発生装置から構成されており、
前記警告音声発生装置には、前記携帯通信端末により、予め迷惑行為撃退のための警告音声を複数記録させておき、前記携帯通信端末から警告音声発生信号が出力されると、
前記警告音声発生装置が前記警告音声発生信号を受信して、予め記録された迷惑行為撃退のための警告音声を選択して音声発生することを特徴とする。
【発明の効果】
【００１７】
本発明によれば、携帯通信端末の使用状況に関わらず、確実に周囲の人間に痴漢行為等の迷惑行為の被害に遭遇していることを報知することを可能とする迷惑行為撃退装置及びそれを用いた迷惑行為撃退システムを提供することができる。
【００１８】
本発明によれば、利用者が不意の痴漢行為等の迷惑行為に発声ができないような状況に陥った場合であっても、携帯通信端末を操作してソフトボタンを押すだけで、警告音声発生装置から痴漢行為等の迷惑行為撃退のための警告音声を出力することができるので、痴漢行為等の迷惑行為の被害を受けた際には、これを迅速に周囲に報知し協力を求めたり、加害者を怯ませ痴漢行為等の迷惑行為を止めさせたりすることができる。
【図面の簡単な説明】
【００１９】
【図１】本発明の実施例における、迷惑行為撃退装置、及びそのシステムの構成を示す説明図である。
【図２】本発明の実施例における、迷惑行為撃退システムを運用した際のフローチャートである。
【発明を実施するための形態】
【００２０】
本発明を実施するための最適な実施例の形態を以下に説明する。もちろん、本発明は、その発明の趣旨に反しない範囲で、本実施形態において説明した以外の構成のものに対しても容易に適用可能なことは説明を要するまでもない。
【００２１】
図１は、本実施例における痴漢行為撃退装置の機能構成を示す説明図である。図１に示すように、スマートフォンなどの携帯通信端末１０は、携帯通信端末１０の動作の制御を行う主装置側制御手段１１と、ＧＰＳ受信手段１２と、携帯通信端末での送受信やインターネット送受信機能等を備えた無線通信手段１３と、ブルートゥース等の無線通信機能を備えた主装置側近距離無線通信手段１４を具備する。通常、スマートフォン等の携帯通信端末１０は、各種のアプリケーションをインストールする機能を備えており、インストールしたアプリケーションを動作させることにより種々の機能を実現することができる。本発明においては、この携帯通信端末１０に迷惑行為処理用のアプリケーションをインストールする。それにより、携帯通信端末１０に迷惑行為処理手段２０を構築する。迷惑行為処理用のアプリケーションをインストールされた迷惑行為処理手段２０は、主装置側制御手段１１の制御によって、後述の痴漢行為等の迷惑行為の撃退に係る動作を実行するための手段である。
【００２２】
主装置であるスマートフォンなどの携帯通信端末１０に対して、従装置として機能する警告音声発生装置３０は、従装置側制御手段３１と、従装置側近距離無線通信手段３２を具備し、更に警告音声記録手段３３と、警告音声発生手段３４を具備する。この警告音声発生装置３０は、使用者が主装置であるスマートフォンなどの携帯通信端末１０とは別に装着して使用するものである。警告音声発生装置３０は、装着していることが外部から視認し易いように目立つデザインで、目立つように装着した方が予防効果が高い。
【００２３】
この警告音声発生装置３０には、痴漢行為等の迷惑行為が発生したことを周囲に報知するために、３乃至４種類の適当数の警告音声、例えば「この人、痴漢です！」「触るのをやめてください！」「痴漢！警察に届けますよ！」等を、事前に入力し記録しておくことが望ましい。この警告音声発生装置３０への音声の登録は、迷惑行為処理用のアプリケーションをインストールした迷惑行為処理手段２０を介してユーザ自身によって行っても良いし、予め警告音声発生装置３０の警告音声記録手段３３に自動音声として記録しておいても良い。
【００２４】
本発明の迷惑行為撃退システムは、痴漢行為等の迷惑行為が発生した際に迷惑行為撃退機能を発揮する迷惑行為撃退システムであって、該システムに使用される迷惑行為撃退装置は、携帯通信端末１０と、該携帯通信端末１０からの指示を近距離無線により受信可能な警告音声発生装置３０からなり、前記警告音声発生装置３０には、前記携帯通信端末１０により、予め迷惑行為撃退のための警告音声を記録させておき、前記携帯通信端末１０から警告音声発生指示信号５０が発生されると、前記警告音声発生装置３０が前記警告音声発生指示信号を受信して、予め記録された迷惑行為撃退のための警告音声を警告音声発生手段３４により発生する。
【００２５】
利用者は、スマートフォン等の主装置側近距離無線通信手段１４を有する携帯端通信末１０に警告音発生アプリをインストールし、警告音発生アプリと対となる警告音発生装置３０を装備する。痴漢行為等の迷惑行為に遭遇した際、携帯通信端末１０の警告音発声アプリを動作させて、警告音発生ボタンを押下する。警告音発生アプリはこれを受けて警告音声発生指示手段２３から主装置側近距離無線通信手段１４を介して警告音声発生装置３０に対して警告音声発生信号５０を出力する。警告音声発生装置３０は従装置側近距離無線通信手段２３によって警告音声発生信号を受信した際、警告音声記録手段３３から警告音を選択し、警告音声発生手段３４から警告音を再生出力する。
【００２６】
迷惑行為処理用のアプリケーションの機能を有効にするには、事前準備として携帯通信端末１０への当該アプリケーションのインストールと、警告音声発生装置３０への警告音声の記録を終える必要がある。この際には、警告音声発生装置３０に対して、警告音声を発生させるための指示ボタンとしてのソフトボタン（図示なし）を初期画面上等に表示することが望ましい。
【００２７】
事前準備を終えた携帯通信端末１０により、実際に痴漢行為に遭遇した場合の痴漢撃退操作の手順について、図２のフローチャートを用いて説明する。
まずは携帯通信端末１０にインストールされた迷惑行為処理アプリケーションを起動する（ステップ１００）。当該アプリケーションの起動により、携帯通信端末１０には、図示しない警告音声を発生させるための指示ボタンとしてのソフトボタン「痴漢撃退ボタン」が表示される（ステップ１１０）。利用者が痴漢行為の発生を感知すると（図１の迷惑行為発生４０）、利用者は携帯通信端末１０に表示された図示しない警告音声を発生させるための指示ボタンとしてのソフトボタン「痴漢撃退ボタン」を押下する（ステップ１２０）。「痴漢撃退ボタン」が押下されなければ、押下の検知を継続する（ステップ１２０  ＮＯ）。
【００２８】
「痴漢撃退ボタン」が押下されると（ステップ１２０  ＹＥＳ）、携帯通信端末１０の迷惑行為処理装置２０の迷惑行為発生指示手段２２が働いて、音声発生指示手段２３により主装置側近距離無線通信手段１４を介して警告音声発生装置３０に向けて警告音声発生指示（図１の５０）を出力する（ステップ１３０）。これにより、主装置（携帯通信端末１０）から従装置（警告音声発生装置３０）への警告音声発生指示が出力される（ステップ１４０）。警告音声発生装置３０の従装置側制御手段３１は、従装置側近距離無線通信手段３２を介してこの警告音声発生信号を受けて、予め警告音声が記録してある警告音声記録手段３３に記憶してある音声を選択し、当該選択した音声を警告音声発生手段３４により周囲に聞こえるように再生し出力する（ステップ１５０）。
【００２９】
これによって痴漢行為に遭遇した被害者は、自らの声によって痴漢行為を制する必要が無く、緊急時に発声が困難であっても携帯通信端末１０の操作によって痴漢行為の被害にあっていることを周囲に報知することができる。また、警告音声発生装置３０を携帯通信端末１０と別体として構成することにより、予防効果の高い目立つデザインの装置とすることが容易であると同時に、携帯通信端末１０が音声を発しない状態、所謂マナーモードであったとしても、確実に周囲に音声を発して、痴漢行為に遭遇していることを報知することが可能となる。
【００３０】
以上により、痴漢行為に遭遇していることを周囲に報知することが可能となるものではあるが、最悪な状態として、警告音声の発生によっても痴漢行為が継続されることも考えられる。そのために、本発明は、次なるステップを用意している。
【００３１】
本発明においては、痴漢行為を撃退するための警告音声を発生すると（ステップ１５０）、それを契機にして時間を計測する。端末装置１０には予め所定時間（ａ）が設定されている。もし、警告音声発生後の所定時間内に（ｔ＜ａ）痴漢行為が撃退されれば、再度、「痴漢撃退ボタン」を押下する（ステップ１８０  ＹＥＳ）により、痴漢行為が撃退された判断して、処理は終了（ステップ１９０）する。もし、警告音声発生後の所定時間内に（ｔ＜ａ）「痴漢撃退ボタン」が押下されなければ（ステップ１８０  ＮＯ）、痴漢行為が継続していると判断して、次のステップに移行するようにしている。
【００３２】
つまり、次のステップでは、例えば、より強い口調の警告音声を選択（ステップ２００）して、より大音量にて警告音声を出力することができるように構成している。例えば、「この人、痴漢です！」に次いで、「触るのをやめてください！」、さらに「痴漢！警察に届けますよ！」等の類である。次の警告音声が選択された後の処理は、最初の警告音声の発生処理と同じである。
【００３３】
また、痴漢等の迷惑行為は、通常、予期した時期に発生するものではなく、携帯通信端末１０の使用者がメールをしていたり、配信された動画や音楽を楽しんだりしている際に突然に発生するものである。このような、迷惑行為が発生した際には、リターンバックボタンを押して、初期画面に戻るのでは遅い。そのためにも、迷惑行為処理用のアプリケーションをインストールした迷惑行為処理手段２０は、迷惑行為処理用のソフトボタンを、他のアプリケーション動作時にも、常に前面に表示させておくことができる。
【００３４】
以上、本発明の実施例について詳述したが、本発明は前記実施例に限定されるものではなく、本発明の要旨の範囲内で種々の変形実施が可能である。例えば、警告音発生アプリ１０に警告音停止ボタンを設け、当該ボタンを押下することで警告音発生装置３０から発生する警告音を停止することができるよう構成し、利用者が警告音の停止を所望した場合において音声の停止を実行できるようにしてもよい。
【符号の説明】
【００３５】
１０    携帯通信端末
１１    主装置側制御手段
１２    ＧＰＳ受信手段
１３    無線通信手段
１４    主装置側近距離無線通信手段
２０    緊急時愛処理手段
２１    迷惑行為対応音声記録手段
２２    迷惑行為発生指示手段
２３    音声発生指示手段
３０    警告音声発生装置
３１    従装置側制御手段
３２    従装置側近距離無線通信手段
３３    警告音声記録手段
３４    警告音声発生手段
【図１】
2015072510.tif 000003
【図２】
2015072510.tif 000004